(57)【特許請求の範囲】
【請求項１】
可変発振回路を有するスイッチング信号生成手段と、このスイッチング信号が供給される一対のスイッチング素子と、これら一対のスイッチング素子の接続点に絶縁トランスの一次コイルを介して接続された共振用コンデンサと、前記絶縁トランスの二次側に設けられた整流回路と、この整流回路に得られる出力電圧を基準電圧と比較する比較手段と、この比較出力に基づいて前記可変発振回路の発振素子のインピーダンスを制御するインピーダンス制御手段と、コンデンサに充電する充電電圧により、前記可変発振回路の初期駆動時の発振周波数をコントロールするソフトスタート回路と、を備えたスイッチング電源装置であって、
前記ソフトスタート回路の充電特性をリニアな特性とし、前記可変発振回路における発振周波数の時間に対する特性をノンリニアな特性とし、
前記ソフトスタート回路が、
ソフトスタート用コンデンサと、
該ソフトスタート用コンデンサを充電する第１の定電流源と、
前記ソフトスタート用コンデンサの端子電圧と所定の第１の閾値電圧とを比較する第１の比較器と、
一端が第２の定電流源に接続され、他端が前記可変発振回路に接続される可変発振用コンデンサに接続された第１のスイッチ素子と、
前記ソフトスタート用コンデンサの端子電圧と所定の第２の閾値電圧とを比較する第２の比較器と、
一端が第３の定電流源に接続され、他端が前記可変発振回路に接続される可変発振用コンデンサに接続された第２のスイッチ素子と、
を備え、
前記第１のスイッチ素子のインピーダンスは、前記ソフトスタート用コンデンサの端子電圧が０（Ｖ）から前記第１の閾値電圧に上昇するに従って大きくなり、前記第２のスイッチ素子のインピーダンスは、前記ソフトスタート用コンデンサの端子電圧が前記第１の閾値電圧から前記第２の閾値電圧に上昇するに従って大きくなることを特徴とするスイッチング電源装置。
【発明の詳細な説明】
【技術分野】
【０００１】
本発明は、電源起動時に、絶縁トランスの一次側に設けられたスイッチング用トランジスタに流れる過大電流に対して、スイッチング用トランジスタなどを保護することを目的とするスイッチング電源装置に関する。
【背景技術】
【０００２】
従来、スイッチング電源装置として電流共振方式によるものが知られている。図４は、この電流共振方式のスイッチング電源装置の中でも、ＳＥＰＰ（Ｓｉｎｇｌｅ  Ｅｎｄｅｄ  Ｐｕｓｈ Ｐｕｌｌ）方式の電源構成を示している。
【０００３】
図４に示すように、このスイッチング電源装置は、スイッチング信号生成回路１０として可変発振回路１２が設けられ、その発振信号がドライブ回路１３に供給されて、例えば互いに逆相関係の一対のスイッチング信号が生成される。
【０００４】
一対のスイッチング信号は、ＳＥＰＰ構成の一対のスイッチング素子２１、２２に供給される。これら一対のスイッチング素子２１、２２の接続中点と接地間には、絶縁トランス２３の一次コイル２３ａを介して共振用のコンデンサＣ３が接続される。
【０００５】
絶縁トランス２３の一対の二次コイル２３ｂ、２３ｃを流れる二次電流はそれぞれダイオード２４ａ、２４ｂによって両波整流され、両波整流された電流は平滑用コンデンサＣ４に充電される。したがって平滑用コンデンサＣ４の両端に得られる電圧が出力電圧Ｖｏとして負荷（図示はしない）に供給される。
【０００６】
出力電圧は電圧比較手段としての比較器ＣＯＭＰ１０に供給され、基準電圧Ｖｒｅｆと電圧比較される。その比較出力は絶縁トランス２３の一次側と二次側とを絶縁するために設けられたインダクタンス制御手段を構成するホトカプラー（Ｔｒ１１とＤ１０）に供給される。ホトカプラーはホトダイオードＤ１０と可変インダクタンス素子として機能するホトトランジスタＴｒ１１とで構成され、比較出力に応じた電流がこのホトトランジスタＴｒ１１を流れる。
【０００７】
ホトトランジスタＴｒ１１は固定の抵抗器Ｒ１２を介して外部端子に接続される。したがってホトトランジスタＴｒ１１がオン状態のときは発振素子である抵抗器Ｒ１１に対してこの抵抗器Ｒ１２と、ホトトランジスタＴｒ１１による直列インピーダンスが並列接続されたことになる。
【０００８】
この共振回路で一対のスイッチング素子２１、２２に供給されるスイッチング信号のスイッチング周波数が高いときは一次側共振インピーダンスＺが大きくなり、スイッチング周波数が低くなるにしたがって一次側共振インピーダンスＺが低下する。一次側共振インピーダンスＺがこのような変化を伴うと、一次コイル２３ａに流れる共振電流も変化することから、この共振電流を制御することで絶縁トランス２３の二次側に誘起される出力電圧Ｖｏをコントロールできる。
【０００９】
したがって、例えば、出力端子に得られる出力電圧Ｖｏが基準電圧Ｖｒｅｆよりも高いときには、ホトトランジスタＴｒ１１もその比較出力に応じたインピーダンスとなるから、外部端子の合成抵抗は抵抗器Ｒ１１単体の場合よりも小さくなり、これによって発振周波数ｆｓｗが高くなる。
【００１０】
発振周波数ｆｓｗが高くなると一次コイル２３ａとコンデンサＣ３で決まる一次側共振インピーダンスＺが大きくなるから、この一次コイル２３ａを流れる電流が制限され、その値が小さくなる。この電流減少に伴って二次コイル２３ｂ、２３ｃ側に誘起される電流も少なくなり、その結果、平滑用コンデンサＣ４への充電電圧が下がる。つまり出力電圧Ｖｏが基準電圧Ｖｒｅｆ方向に制御される。
【００１１】
また、これとは逆に、出力電圧Ｖｏが基準電圧Ｖｒｅｆより低下したときには、ホトトランジスタＴｒ１１のインピーダンスが大きくなり、外部端子での合成抵抗値が大きくなって、可変発振回路１２はその発振周波数ｆｓｗが低くなるように制御される。その結果としてスイッチング素子２１、２２に対するスイッチング周波数が下がり、これに伴って絶縁トランス２３の一次側共振インピーダンスＺが低下して共振電流が増える。共振電流が増えると二次側の電流も増えるから、これによって平滑用コンデンサＣ４への充電電圧Ｖｏが上昇し、基準電圧Ｖｒｅｆに近付くような閉ループ制御が行われる。
【００１２】
ところで、このスイッチング電源装置においては、電源をオンにした起動時から平滑用コンデンサＣ４が定常状態の電圧まで上昇するまでの期間は、大きな値の共振電流が流れるので、このときの電流でスイッチング素子２１、２２が大きなダメージを被ることがある。
【００１３】
このようなダメージを少なくするため、従来から起動時の共振電流を制限するものとして、ソフトスタート回路１１が設けられているものがある。このソフトスタート回路１１はスイッチング信号生成回路１０内に設けられ、このソフトスタート回路１１に配された外部端子に外付け用の充電用コンデンサＣ１が接続され、この充電用コンデンサＣ１への充電を電源オンに同期して開始するようにする。そして、このときの充電電圧の変化によって発振素子である外部端子に接続された発振コンデンサＣ２の充電電流を変化させる。
【００１４】
発振コンデンサＣ２への充電電流が時間と共に変化すると、その変化に相応して発振周波数ｆｓｗも変化する。これを以下、図６を参照して説明する。
【００１５】
図６（Ａ）は、電源オン時からの充電電圧の変化を示すもので、その充電特性は直線Ｌａに示すようにリニアである。このとき可変発振回路１２は、これに接続されたソフトスタート回路１１に関連する充電用コンデンサＣ１の充電電圧によってその発振周波数ｆｓｗが変わる。発振周波数ｆｓｗもほぼリニアに変化し、図６（Ｂ）の直線Ｌｂに示すように、充電電圧がゼロボルトのとき高い周波数で発振し、充電電圧が高くなるにつれ発振周波数ｆｓｗが低下する特性を示す。
【００１６】
一方、一次側共振インピーダンスＺは図５にも示すように、共振周波数ｆｏから周波数が高くなるにつれ、一次側共振インピーダンスＺが大きくなるような特性曲線Ｌｏであるから、一次側共振インピーダンスＺと時間の関係を図示すると、図６（Ｃ）のようになる。つまり、最初は一次側共振インピーダンスＺが高く、その後急激に低下し、充電電圧がフル充電に近づくにつれ、再びインピーダンスの変化が緩やかになるようなノンリニア特性となる。
【００１７】
その結果、この一次共振回路系を流れる一次電流は、図６（Ｄ）の曲線Ｌｃに示すように電源オン時から所定の時間まではあまり流れないが、ある程度の時間が経つと急激に電流が増加するようなノンリニア特性となる。これに伴って、出力端子側に接続された平滑用コンデンサＣ４の出力電圧（充電電圧）Ｖｏは図６（Ｅ）の曲線Ｌｄに示すように、最初は緩やかに充電されるが、その後、急激な充電が行われるような充電モードとなる。ソフトスタートモードが終了する時点ｔｂの直前は緩やかな充電となり、時点ｔｂ以降では閉ループによる電圧制御モードに遷移し、図６（Ｅ）の曲線Ｌｅに示すように基準電圧Ｖｒｅｆに落ち着く電圧制御が行われる。
【００１８】
このように、一次側共振インピーダンスＺの変化による影響を受けてソフトスタートモードが終了する直前までは急激な電流が一次側共振系に流れる。この急激な電流によって一対のスイッチング素子２１、２２には大きなストレスがかかるため、これらスイッチング素子２１、２２などがダメージを受けることがある。
【００１９】
このような問題点に対応するために、ソフトスタート回路の充電特性と可変発振回路の周波数特性とをノンリニア特性とすることにより、電源オン時における発振周波数の変化に対して、負荷側に設けられた充電コンデンサの充電が開始してから完了する直前までの発振周波数の変化を緩やかにすることができ、これに伴って絶縁トランスの一次側を流れる電流の急激な変化を抑えることができる技術が開示されている（例えば、特許文献１参照。）。
【先行技術文献】
【特許文献】
【００２０】
【特許文献１】特開２００１−１９００６３号公報
【発明の概要】
【発明が解決しようとする課題】
【００２１】
しかしながら、上記特許文献１に記載の技術では、ソフトスタート回路の充電特性を負荷に適した充電特性とすることにより、上記の制御を実現し、安定的な動作が期待できるものの、可変発振回路の周波数特性が有する温度依存性には、対応することができないという問題がある。
【００２２】
そこで、本発明は、上述の課題に鑑みてなされたものであり、可変発振回路の周波数特性が有する温度依存性にも対応しつつ、絶縁トランスの一次側に設けられたスイッチング用トランジスタに流れる過大電流に対して、スイッチング用トランジスタなどを保護することができるスイッチング電源回路を提供することを目的とする。
【課題を解決するための手段】
【００２３】
本発明は、上記の課題を解決するために、以下の事項を提案している。
【００２４】
（１）本発明は、可変発振回路（例えば、図１の可変発振回路１２に相当）を有するスイッチング信号生成手段（例えば、図１のスイッチング信号生成回路１０に相当）と、このスイッチング信号が供給される一対のスイッチング素子（例えば、図１の２１、２２に相当）と、これら一対のスイッチング素子の接続点に絶縁トランスの一次コイルを介して接続された共振用コンデンサ（例えば、図１のＣ３に相当）と、前記絶縁トランスの二次側に設けられた整流回路（例えば、Ｄ１、Ｄ２に相当）と、この整流回路に得られる出力電圧を基準電圧と比較する比較手段（例えば、図１のＣＯＭＰ１０に相当）と、この比較出力に基づいて前記可変発振回路の発振素子のインピーダンスを制御するインピーダンス制御手段と、コンデンサに充電する充電電圧により、前記可変発振回路の初期駆動時の発振周波数をコントロールするソフトスタート回路（例えば、図１のソフトスタート回路１１に相当）と、を備えたスイッチング電源装置であって、前記ソフトスタート回路の充電特性をリニアな特性とし、前記可変発振回路における発振周波数の時間に対する特性をノンリニアな特性としたことを特徴とするスイッチング電源装置を提案している。
【００２５】
この発明によれば、ソフトスタート回路の充電特性をリニアな特性とし、可変発振回路における発振周波数の時間に対する特性をノンリニアな特性としている。したがって、可変発振回路における発振周波数の時間に対する特性をノンリニアな特性とすることにより、電源オン時における発振周波数の変化に対して、負荷側に設けられた充電コンデンサの充電が開始してから完了する直前までの発振周波数の変化を緩やかにすることができ、これに伴って絶縁トランスの一次側を流れる電流の急激な変化を抑えることができる。つまり、絶縁トランスの一次側に接続されたスイッチング素子には過電流が流れなくなるので、これらスイッチング素子のダメージを従来よりも大幅に軽減でき、これらスイッチング素子を確実に保護できる。また、ソフトスタート回路の充電特性をリニアな特性とすることにより、温度依存性を有する可変発振回路の周波数特性を最適化することができる。
【００２６】
（２）本発明は、（１）のスイッチング電源装置について、前記可変発振回路における発振周波数の時間に対する特性をなす少なくとも１以上の変曲点とその傾きとを任意に決定することができることを特徴とするスイッチング電源装置を提案している。
【００２７】
この発明によれば、可変発振回路における発振周波数の時間に対する特性をなす少なくとも１以上の変曲点とその傾きとを任意に決定することができる。したがって、温度依存性を有する可変発振回路の周波数特性を最適化することができる。
【００２８】
（３）本発明は、（１）のスイッチング電源装置について、前記ソフトスタート回路が、ソフトスタート用コンデンサ（例えば、図２のＣ１に相当）と、該ソフトスタート用コンデンサを充電する第１の定電流源（例えば、図２のＩ０に相当）と、前記ソフトスタート用コンデンサの端子電圧と所定の第１の閾値電圧とを比較する第１の比較器（例えば、図２のＣＯＭＰ１に相当）と、一端が第２の定電流源に接続され、他端が前記可変発振回路に接続される可変発振用コンデンサに接続された第１のスイッチ素子（例えば、図２のＳＷ１に相当）と、前記ソフトスタート用コンデンサの端子電圧と所定の第２の閾値電圧とを比較する第２の比較器（例えば、図２のＣＯＭＰ２に相当）と、一端が第３の定電流源に接続され、他端が前記可変発振回路に接続される可変発振用コンデンサに接続された第２のスイッチ素子（例えば、図２のＳＷ２に相当）と、を備え、前記第１のスイッチ素子は、前記ソフトスタート用コンデンサの端子電圧が０（Ｖ）から前記第１の閾値電圧に上昇する間、所定の速度で開状態となり、前記第２のスイッチ素子は、前記ソフトスタート用コンデンサの端子電圧が前記第１の閾値電圧から前記第２の閾値電圧に上昇する間、所定の速度で開状態となることを特徴とするスイッチング電源装置を提案している。
【００２９】
この発明によれば、ソフトスタート用コンデンサを充電する第１の定電流源により、ソフトスタート回路の充電特性をリニアな特性とすることができる。また、第１のスイッチ素子は、ソフトスタート用コンデンサの端子電圧が０（Ｖ）から前記第１の閾値電圧に上昇する間、所定の速度で開状態となり、第２のスイッチ素子は、ソフトスタート用コンデンサの端子電圧が第１の閾値電圧から第２の閾値電圧に上昇する間、所定の速度で開状態となる。したがって、可変発振回路の周波数特性をノンリニアな特性とするとともに、第１の閾値電圧および第２の閾値電圧の電圧値、第１のスイッチ素子および第２のスイッチ素子が開状態となる速度を決定することにより、変曲点のポイントおよびその傾きを自在に設定できるため、温度依存性を有する可変発振回路の周波数特性を最適化することができる。
【発明の効果】
【００３０】
本発明によれば、電源オン時における発振周波数の変化に対して、負荷側に設けられた充電コンデンサの充電が開始してから完了する直前までの発振周波数の変化を緩やかにすることができ、これに伴って絶縁トランスの一次側を流れる電流の急激な変化を抑えることができる。したがって絶縁トランスの一次側に接続されたスイッチング素子には過電流が流れなくなるので、これらスイッチング素子のダメージを従来よりも大幅に軽減でき、これらスイッチング素子を確実に保護できるという効果がある。
【００３１】
また、負荷に印加される出力電圧、特に電源オン時における電圧変化は、ソフトスタート回路の周波数特性に依存するものであるから、この周波数特性をその負荷に適した１つ以上の変曲点と傾きを任意に設定した温度にほとんど依存しない周波数特性とすることによって、より安定した回路動作を簡単な回路構成により実現できるという効果がある。
【図面の簡単な説明】
【００３２】
【図１】本発明のスイッチング電源装置の構成を示す図である。
【図２】本発明のソフトスタート回路の構成を示す図である。
【図３】本発明のソフトスタート回路の充電特性と可変発振回路の周波数特性とを示す図である。
【図４】従来例に係るスイッチング電源装置の構成を示す図である。
【図５】従来例に係る一次側共振インピーダンス特性を示す特性図である。
【図６】従来例の動作を説明するための波形図である。
【発明を実施するための形態】
【００３３】
以下、本発明の実施の形態について図面を参照しながら説明する。なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３４】
図１から図３を用いて、本発明に係るスイッチング電源装置について説明する。なお、図１は、本発明に係るスイッチング電源装置の全体構成を示すものであるが、図中、ソフトスタート回路の機能を除いた他の構成要素については、上記において説明した対応する従来例の構成要素と同様の機能を有することから、その詳細な説明は、省略する。
【００３５】
＜ソフトスタート回路の構成＞
本発明に係るソフトスタート回路は、図２に示すように、定電流源Ｉ０、Ｉ１、Ｉ２と、充電用コンデンサＣ１、Ｃ２と、コンパレータＣＯＭＰ１、ＣＯＭＰ２と、基準電源Ｖ１、基準電源Ｖ２と、スイッチＳＷ１、ＳＷ２と、ＭＯＳＦＥＴＱ１からＱ６とから構成されている。
【００３６】
定電流源Ｉ０は、端子ＳＳを介して充電用コンデンサＣ１の一端に接続され、充電用コンデンサＣ１の他端は、接地されている。コンパレータＣＯＭＰ１のマイナス端子には、基準電源Ｖ１が接続され、プラス端子は、端子ＳＳに接続されている。
【００３７】
定電流源Ｉ１は、スイッチＳＷ１の一端に接続され、その他端は、ＭＯＳＦＥＴＱ１のドレインに接続されている。また、ＭＯＳＦＥＴＱ１のドレイン−ゲート間は、ショートされ、ソースは接地されているとともに、そのゲートは、ＭＯＳＦＥＴＱ３のゲートに接続されている。なお、スイッチＳＷ１は、充電用コンデンサＣ１の端子電圧が０（ｖ）から基準電源Ｖ１（ｖ）にあるときに、コンパレータＣＯＭＰ１の出力により、所定の速度で開状態とされる。
【００３８】
定電流源Ｉ２は、スイッチＳＷ２の一端に接続され、その他端は、ＭＯＳＦＥＴＱ２のドレインに接続されている。また、ＭＯＳＦＥＴＱ２のドレイン−ゲート間は、ショートされ、ソースは接地されているとともに、そのゲートは、ＭＯＳＦＥＴＱ４のゲートに接続されている。なお、スイッチＳＷ２は、充電用コンデンサＣ１の端子電圧が基準電源Ｖ１（ｖ）から基準電源Ｖ２（ｖ）にあるときに、コンパレータＣＯＭＰ２の出力により、所定の速度で開状態とされる。
【００３９】
ＭＯＳＦＥＴＱ５とＭＯＳＦＥＴＱ６は、カレントミラー回路を構成し、端子ＣＴを介して、発振コンデンサＣ２に充電電流を供給する。また、発振コンデンサＣ２の端子電圧は、可変発振回路１２内の発振器に供給され、発振器は、入力した電圧に応じた周波数の発振信号を出力する。
【００４０】
＜ソフトスタート回路の動作＞
端子ＳＳに接続された充電用コンデンサＣ１は、定電流源Ｉ０から供給される定電流により充電され、図３上側に示す（図中、ＳＳ充電電圧と表示）リニアな充電特性を示す。一方、初期状態では、発振コンデンサＣ２には、定電流源Ｉ１からスイッチＳＷ１、ＭＯＳＦＥＴＱ１、ＭＯＳＦＥＴＱ３のゲート−ドレイン、ＭＯＳＦＥＴＱ５とＭＯＳＦＥＴＱ６とからなるカレントミラー回路を介して、定電流が供給されるとともに、定電流源Ｉ２からスイッチＳＷ２、ＭＯＳＦＥＴＱ２、ＭＯＳＦＥＴＱ４のゲート−ドレイン、ＭＯＳＦＥＴＱ５とＭＯＳＦＥＴＱ６とからなるカレントミラー回路を介して、定電流が供給される。
【００４１】
次に、充電用コンデンサＣ１の充電電圧（Ｖａ）が０（ｖ）から基準電源Ｖ１（ｖ）にある場合、コンパレータＣＯＭＰ１の出力により、スイッチＳＷ１が所定の速度で開状態とされ、定電流源Ｉ１から発振コンデンサＣ２に供給される電流がスイッチＳＷ１の開速度に応じた傾きで減少する。これによって、可変発振回路１２内の発振器に供給される電圧が、スイッチＳＷ１の開速度に応じた傾きで減少することから、発振器の周波数もこれに応じて、低くなり、スイッチＳＷ１が完全に開状態となると、図３の変曲点Ａとなる。
【００４２】
さらに、充電用コンデンサＣ１の充電電圧（Ｖａ）が基準電源Ｖ１（ｖ）から基準電源基準電源Ｖ２（ｖ）にある場合、コンパレータＣＯＭＰ１の出力により、スイッチＳＷ１が完全に開状態となるとともに、コンパレータＣＯＭＰ２の出力により、スイッチＳＷ２が所定の速度で開状態とされ、定電流源Ｉ２から発振コンデンサＣ２に供給される電流がスイッチＳＷ２の開速度に応じた傾きで減少する。これによって、可変発振回路１２内の発振器に供給される電圧が、スイッチＳＷ２の開速度に応じた傾きでさらに減少することから、発振器の周波数もこれに応じて、低くなり、スイッチＳＷ２が完全に開状態となると、図３の変曲点Ｂとなる。
【００４３】
上記のような動作により、ソフトスタート回路の充電特性は、リニアな特性となり、可変発振回路の周波数特性は、ノンリニアな特性となる。なお、可変発振回路の周波数特性の変曲点は、基準電源Ｖ１、基準電源Ｖ２の値を調整することで自在に変更できる。また、その傾きは、スイッチＳＷ１、スイッチＳＷ２の開速度で自在に変更することができる。
【００４４】
したがって、本実施形態によれば、ソフトスタート回路の充電特性をリニアな特性に、可変発振回路の周波数特性をノンリニアな特性にすることにより、そもそもノンリニアに変化する一次側共振インピーダンスＺがほぼリニアに変化するようになる。つまり、一次側電流は、一次側共振インピーダンスＺの変化によって決まるため、一次側共振インピーダンスＺをほぼリニアに変化させることにより、一次側電流の過電流化が阻止され、スイッチング素子に流れる過電流を防止し、スイッチング素子へのダメージを軽減できる。
【００４５】
また、負荷に印加される出力電圧、特に電源オン時における電圧変化は、ソフトスタート回路の周波数特性に依存するものであるから、この周波数特性をその負荷に適した１つ以上の変曲点と傾きを任意に設定した温度にほとんど依存しない周波数特性とすることによって、より安定した回路動作を簡単な回路構成により実現できる。
【００４６】
以上、本発明の実施形態について説明したが、本発明は、上述した実施形態に限定されるものではなく、本発明の要旨を逸脱しない範囲内で様々な変形や応用が可能である。
【符号の説明】
【００４７】
１２；可変発振回路
１３；ドライバ
１４；ソフトスタート回路
Ｉ０、Ｉ１、Ｉ２；定電流源
Ｃ１、Ｃ２；コンデンサ
ＣＯＭＰ１、ＣＯＭＰ２；コンパレータ
Ｖ１、Ｖ２；基準電源
ＳＷ１、ＳＷ２；スイッチ
Ｑ１、Ｑ２、Ｑ３、Ｑ４、Ｑ５、Ｑ６；ＭＯＳＦＥＴ
【図１】
0005398458.tif 000002
【図２】
0005398458.tif 000003
【図３】
0005398458.tif 000004
【図４】
0005398458.tif 000005
【図５】
0005398458.tif 000006
【図６】
0005398458.tif 000007